(57)【要約】【課題】表示装置において、構造が単純で、組み付けを容易にし、且つ剛性を高くする。【解決手段】表示装置は、表示パネル３を取り囲んで形成された側壁１０１と、この側壁１０１の外側に設けられた少なくとも１つの突起１０２とを有し、前記側壁１０１の内側に前記表示パネル３を保持する第１のフレーム１と、前記第１のフレーム１に対応する底板２０１と、前記底板２０１から前記第１のフレーム２の側壁１０１に沿って立ち上がった形状に前記第１のフレーム１を取り囲んで形成された側板２０２と、前記側板２０２の開放端２０３の少なくとも１つの辺に、前記側板２０２を延長させた延長端を前記第１のフレーム１の方向の内側へ折り返して形成され、先端に前記第１のフレーム１の突起１０２と当接する係止部２０６が形成された折り返し部２０４とを有し、前記第１のフレーム１を収納する第２のフレーム２を備える。【選択図】      図１
2010256702.tif 000002
【特許請求の範囲】
【請求項１】
少なくとも表示パネルを取り囲んで形成された側壁と、この側壁の外側に設けられた少なくとも１つの突起とを有し、前記側壁の内側に前記表示パネルを保持する第１のフレームと、
前記第１のフレームに対応する底板と、前記底板から前記第１のフレームの側壁に沿って立ち上がった形状に前記第１のフレームを取り囲んで形成された側板と、前記側板の開放端の少なくとも１つの辺に、前記側板を延長させた延長端を前記側板の内側へ折り返して形成され、先端に前記第１のフレームの突起に当接する係止部が設けられた折り返し部とを有し、前記第１のフレームを収納する第２のフレームとを備えることを特徴とする表示装置。
【請求項２】
前記第１のフレームには、前記突起が前記側壁の外周に沿って複数形成され、
前記第２のフレームには、前記係止部が複数形成され、
前記複数の突起のそれぞれが前記複数の係止部のうち１つに当接していることを特徴とする請求項１に記載の表示装置。
【請求項３】
前記第２のフレームの折り返し部のうち、前記係止部が設けられた部分以外の部分の折り返し長さが、前記係止部が設けられた部分の折り返し長さより長く形成されていることを特徴とする請求項１又は請求項２に記載の表示装置。
【請求項４】
前記第１のフレームは、前記側壁が矩形の表示パネルを取り囲むように平面形状が矩形に形成され、前記突起が前記矩形の側壁の少なくとも１つの辺に少なくとも１つ配置され、
前記第２のフレームには、前記側板が前記第１のフレームに対応するように平面形状が矩形に形成され、
前記第２のフレームの折り返し部は、前記第２のフレームの矩形の側板のうち前記第１のフレームの前記矩形の側壁の少なくとも１つの辺に面した少なくとも１つの辺に、前記矩形の隅部を除いて形成されていることを特徴とする請求項１乃至請求項３のいずれかの請求項に記載の表示装置。
【請求項５】
前記第２のフレームの折り返し部は、前記第２のフレームの矩形の側板の前記少なくとも１つの辺に、前記矩形の隅部を除いて形成された部分の折り返し長さが、その全体にわたって等しく形成されていることを特徴とする請求項４に記載の表示装置。
【請求項６】
前記第１のフレームの突起には、前記矩形の側壁の少なくとも１つの辺の、前記矩形の角部を除いた部分に、前記矩形の側壁の少なくとも１つの辺に沿って連続的に形成されていることを特徴とする請求項５に記載の表示装置。
【請求項７】
前記第２のフレームの折り返し部には、前記側板の延長端を前記第１のフレームが収容された側に斜めに折り返して形成され、前記第１のフレームを内側に弾性的に押圧し、且つ前記第１のフレームの突起と当接する係止部を有することを特徴とする請求項１乃至請求項６のいずれかの請求項に記載の表示装置。
【請求項８】
前記第１のフレームは、前記側壁及び前記突起とを一体的に形成した合成樹脂からなり、
前記第２のフレームは、板金加工により形成された金属板からなることを特徴とする請求項１乃至請求項７のいずれかの請求項に記載の表示装置。
【請求項９】
前記第１のフレームの突起の前記第２のフレームの底板側に、前記第１のフレームを前記第２のフレームに収納する際に、前記第２のフレームの側板の開放端が接触する傾斜面が形成されていることを特徴とする請求項１乃至請求項８のいずれかの請求項に記載の表示装置。
【請求項１０】
前記第１のフレームは、前記表示パネルのうち、前記表示パネルに対して前記底板が配置された側の底部と前記表示パネルを固定するための枠面との間に、側壁から内側に延びる枠部を備え、
前記第１のフレームの突起は、前記第１のフレームの前記底部からの前記枠部の枠面に対応する高さの間に設けられていることを特徴とする請求項１乃至請求項８のいずれかの請求項に記載の表示装置。
【請求項１１】
前記表示パネルは、液晶表示素子からなり、
前記液晶表示素子のうち、前記液晶表示素子に対して前記底板が配置された側の裏面に、前記第１のフレームの枠部に収納して配置され、前記液晶表示素子に照明光を照射するための面光源をさらに備えることを特徴とする請求項９に記載の表示装置。
【請求項１２】
前記第１のフレームは、その対向する側壁間の距離が、前記第２のフレームの前記第１のフレームの対向する前記側壁に対応する側板間の距離よりも、予め定めた値だけ短い長さに形成されていることを特徴とする請求項１乃至請求項１０のいずれかに記載の表示装置。
【発明の詳細な説明】
【技術分野】
【０００１】
この発明は、表示パネルをフレーム内に収納した表示装置に関する。
【背景技術】
【０００２】
液晶セルユニットを収納した第１ケースと、タブレットユニットを収納した第２のケースとを積み重ね、その上からメタルフレームをかぶせ、前記第１のケースに設けられたフック部に、メタルフレームに設けられた係合部をスナップ係合させることによって、メタルフレーム内部に液晶セルユニットとタブレットユニットを収納して、組み立てるようにした液晶表示装置（特許文献１参照）が知られている。
【０００３】
また、メタルフレームの剛性を高くするために、表示パネルとその周りに配置したモールドフレームを収納するベゼルの側壁を折り返して二重構造とした表示装置（特許文献２参照）も知られている。
【先行技術文献】
【特許文献】
【０００４】
【特許文献１】特開２００２−１３２１８１号公報
【０００５】
【特許文献２】特開２００８−  ７７０２７号公報
【発明の概要】
【発明が解決しようとする課題】
【０００６】
上述した特許文献１に記載の表示装置では、メタルフレームにスリット状の係合部を形成しているので、メタルフレームの剛性が低下するという問題があった。
そして、特許文献２に記載の表示装置では、ベゼル内に表示パネルとモールドフレームとを固定するための部材が必要であり、固定構造が複雑になり、且つ組み立て工程が増すという問題があった。
【０００７】
この発明は、構造が単純で、組み付けが容易であり、且つ剛性の高い表示装置を提供することを目的としたものである。
【課題を解決するための手段】
【０００８】
この発明の請求項１に記載の表示装置は、少なくとも表示パネルを取り囲んで形成された側壁と、この側壁の外側に設けられた少なくとも１つの突起とを有し、前記側壁の内側に前記表示パネルを保持する第１のフレームと、前記第１のフレームに対応する底板と、前記底板から前記第１のフレームの側壁に沿って立ち上がった形状に前記第１のフレームを取り囲んで形成された側板と、前記側板の開放端の少なくとも１つの辺に、前記側板を延長させた延長端を前記側板の内側へ折り返して形成され、先端に前記第１のフレームの突起に当接する係止部が設けられた折り返し部とを有し、前記第１のフレームを収納する第２のフレームとを備えることを特徴とする。
【０００９】
請求項２に記載の発明は、前記請求項１に記載の表示装置において、前記第１のフレームには、前記突起が前記側壁の外周に沿って複数形成され、前記第２のフレームには、前記係止部が複数形成され、前記複数の突起のそれぞれが前記複数の係止部のうち１つに当接していることを特徴とする。
【００１０】
請求項３に記載の発明は、前記請求項１又は請求項２に記載の表示装置において、前記第２のフレームの折り返し部のうち、前記係止部が設けられた部分以外の部分の折り返し長さが、前記係止部が設けられた部分の折り返し長さより長く形成されていることを特徴とする。
【００１１】
請求項４に記載の発明は、前記請求項１乃至請求項３のいずれかに記載の表示装置において、前記第１のフレームは、前記側壁が矩形の表示パネルを取り囲むように平面形状が矩形に形成され、前記突起が前記矩形の側壁の少なくとも１つの辺に少なくとも１つ配置され、前記第２のフレームには、前記側板が前記第１のフレームに対応するように平面形状が矩形に形成され、前記第２のフレームの折り返し部は、前記第２のフレームの矩形の側板のうち前記第１のフレームの前記矩形の側壁の少なくとも１つの辺に面した少なくとも１つの辺に、前記矩形の隅部を除いて形成されていることを特徴とする。
【００１２】
請求項５に記載の発明は、前記請求項４に記載の表示装置において、前記第２のフレームの折り返し部は、前記第２のフレームの矩形の側板の前記少なくとも１つの辺に、前記矩形の隅部を除いて形成された部分の折り返し長さが、その全体にわたって等しく形成されていることを特徴とする。
【００１３】
請求項６に記載の発明は、前記請求項５に記載の表示装置において、前記第１のフレームの突起には、前記矩形の側壁の少なくとも１つの辺の、前記矩形の角部を除いた部分に、前記矩形の側壁の少なくとも１つの辺に沿って連続的に形成されていることを特徴とする。
【００１４】
請求項７に記載の発明は、前記請求項１乃至請求項６のいずれかにに記載の表示装置において、前記第２のフレームの折り返し部には、前記側板の延長端を前記第１のフレームが収容された側に斜めに折り返して形成され、前記第１のフレームを内側に弾性的に押圧し、且つ前記第１のフレームの突起と当接する係止部を有することを特徴とする。
【００１５】
請求項８に記載の発明は、前記請求項１乃至請求項７のいずれかに記載の表示装置において、前記第１のフレームは、前記側壁及び前記突起とを一体的に形成した合成樹脂からなり、前記第２のフレームは、板金加工により形成された金属板からなることを特徴とする。
【００１６】
請求項９に記載の発明は、前記請求項１乃至請求項８のいずれかに記載の表示装置において、前記第１のフレームの突起の前記第２のフレームの底板側に、前記第１のフレームを前記第２のフレームに収納する際に、前記第２のフレームの側板の開放端が接触する傾斜面が形成されていることを特徴とする。
【００１７】
請求項１０に記載の発明は、前記請求項１乃至請求項８のいずれかにに記載の表示装置において、前記第１のフレームは、前記表示パネルのうち、前記表示パネルに対して前記底板が配置された側の底部と前記表示パネルを固定するための枠面との間に、側壁から内側に延びる枠部を備え、前記第１のフレームの突起は、前記第１のフレームの前記底部からの前記枠部の枠面に対応する高さの間に設けられていることを特徴とする。
【００１８】
請求項１１に記載の発明は、前記請求項９に記載の表示装置において、前記表示パネルは、液晶表示素子からなり、前記液晶表示素子のうち、前記液晶表示素子に対して前記底板が配置された側の裏面に、前記第１のフレームの枠部に収納して配置され、前記液晶表示素子に照明光を照射するための面光源をさらに備えることを特徴とする。
【００１９】
請求項１２に記載の発明は、前記請求項１乃至請求項１０のいずれかに記載の表示装置において、前記第１のフレームは、その対向する側壁間の距離が、前記第２のフレームの前記第１のフレームの対向する前記側壁に対応する側板間の距離よりも、予め定めた値だけ短い長さに形成されていることを特徴とする。
【発明の効果】
【００２０】
この発明の表示装置によれば、単純な構造で、組み付けが容易になり、且つ剛性を高くすることができる。
【図面の簡単な説明】
【００２１】
【図１】この発明の第１の実施形態を示す表示装置の分解斜視図。
【図２】図１のII−II線と表示パネルの法線を含む面で切断して示す前記表示装置の断面図。
【図３】図１のIII−III線と表示パネルの法線を含む面で切断して示す前記表示装置の断面図。
【図４】この発明の第２の実施形態を示す表示装置の分解斜視図。
【図５】この発明の第３の実施形態を示す表示装置の分解斜視図。
【図６】この発明の第４の実施形態を示す表示装置の拡大断面図。
【図７】この発明の第５の実施形態を示す表示装置の拡大断面図。
【発明を実施するための形態】
【００２２】
（第１の実施形態）
図１は、この発明の第１の実施例を示す表示装置の分解斜視図、図２は、図１のII−II線と表示装置の表示パネルの法線を含む面で切断して示す前記表示装置の断面図、図３は、図１のIII−III線と表示装置の表示パネルの法線を含む面で切断して示す前記表示装置の断面図である。
【００２３】
この発明の表示装置は、図１乃至図３に示すように、表示パネル３と、この表示パネル３の観察側とは反対側の裏側に配置される面光源４とを取り囲んで保持する第１のフレーム１と、この第１のフレーム１を収納する第２のフレーム２とを備えている。
【００２４】
第１のフレーム１は、矩形の表示パネル３の周囲を取り囲んで形成された平面形状が実質的に矩形の側壁１０１を備え、この矩形の側壁１０１のうち、前記表示パネル３に駆動信号を供給するための配線フィルム３０９が引き出される部分に対応する辺には切欠部１０９が形成されている。
【００２５】
側壁１０１の外側には、前記配線フィルム３０９が引き出される部分を除いて、前記矩形の短辺と長辺にそれぞれ２つずつ突起１０２が形成されている。この突起１０２は、前記側壁１０１から突出した突出面１０３と、この突出面１０３の前記表示パネル３の観察側と前記側壁１０１との間に、前記表示パネル３の観察側に向けて形成した当接面１０４と、突出面１０３の前記表示パネル３の裏側の方向に前記側壁１０１と前記突出面１０３とを緩やかな傾斜角度で結ぶ傾斜面１０５とからなっている。
【００２６】
尚、前記突起１０２は、少なくとも１つ形成されていれば良く、前記矩形の辺のうち、互いに対向して対を成す辺のうち、いずれか１つの対を成す辺それぞれに１つずつ設けるようにしても良く、あるいは各辺に１つずつ設けるようにしても良い。
【００２７】
前記矩形の側壁１０１の前記液晶パネル３が配置された内側には、前記表示パネル３の周辺部を受けるための枠部１０６が設けられている。この枠部１０６は、液晶パネル３のうち、液晶パネル３に対して底板２０１が配置された側の底部と表示パネル３を固定するための枠面１０７との間で、側壁から内側に延びた枠状に形成されており、この枠部１０６の観察側の枠面１０７に前記表示パネル３の周辺部が両面粘着テープ５により粘着固定されている。そして、前記枠部１０６の内側には、前記表示パネル３へ向けて照明光を照射する面光源４が配置されている。
【００２８】
そして、前記第１のフレーム１は、上述した側壁１０１と、複数の突起１０２と、枠部１０６とが合成樹脂によって一体形成された樹脂フレームである。
【００２９】
前記表示パネル３は、発光型、又は非発光型の表示装置を用いることができ、この実施形態では液晶表示素子３０１と面光源４を用いた例を示している。
この液晶表示素子は、予め定めた間隙を設けて対向配置された一対の透明基板３０２，３０３と、これらの一対の透明基板３０２，３０３の互いに向き合う面の少なくとも一方に形成された図示しない複数の透明電極と、これらの基板３０２，３０３間の間隙に封入された液晶層３０４と、前記一対の基板３０２，３０３間に前記液晶層３０４を封入するためのシール材３０５と、前記一対の基板３０２，３０３を挟んで配置された一対の偏光板３０６，３０７と、基板３０３に配置され、この液晶表示素子３０１を駆動するための駆動回路３０８と、駆動回路３０８へ駆動信号を供給するための配線フィルム３０９とを備えている。
【００３０】
この液晶表示素子３０１は、前記駆動回路３０８により図示しない電極間へ電界を印加することにより、液晶分子の配向状態を変化させ、前記液晶層３０４の複屈折性を変え、光の透過を制御することによって表示を行う。
【００３１】
上記液晶表示素子３０１としては、液晶層３０４の液晶分子を、前記一対の基板３０２，３０３間で実質的に９０゜ツイスト配向させたツイステッドネマチック型の液晶表示素子、前記一対の基板３０２，３０３間で液晶分子を９０゜以上ツイスト配向させたＳＴＮ型、液晶分子を基板３０２，３０３面に対して実質的に垂直に配向させた垂直配向型、液晶分子の分子長軸を一方向に揃えて基板３０２，３０３面と実質的に平行に配向させた非ツイストの水平配向型、液晶分子をベンド配向させるベンド配向型、あるいは強誘電性または反強誘電性液晶表示素子のいずれでも適用することができる。
【００３２】
また、前記液晶表示素子３０１としては、一対の基板３０２，３０３のいずれか一方、例えば後側の基板３０３の内面に、複数の画素を形成するための画素電極と、前記画素電極と絶縁して形成された複数の対向電極とを設け、これらの電極間に横電界（基板面に沿う方向の電界）を生じさせて液晶分子の配向状態を変化させる横電界制御型であってもよい。さらには、薄膜トランジスタを用いたアクティブ駆動型、あるいは複数の対向電極と複数の画素電極とを互いに交差させて配置したパッシブ駆動型の液晶表示素子であっても良い。
【００３３】
そして、前記表示パネル３の裏側の、前記側壁１０１から内側に延ばした枠部１０６の内側には、面光源４が配置されている。この面光源４は、透明な矩形形状の板状部材からなり、その矩形形状の短辺の一方に対応する入射端面から入射した光を、前記板状部材の一方の板面である光の出射面から出射させる導光板４０１と、この導光板４０１の裏側に配置した反射手段４０２と、前記導光板４０１の観察側に配置され複数のプリズムシート、拡散シート等からなる光学フィルム層４０３と、前記導光板４０１の入射端面に対向させて配置されたＬＥＤ（発光ダイオード）等からなる図示しない発光素子とからなっている。
【００３４】
一方、前記第１のフレーム１を収納する第２のフレーム２は、前記第１のフレーム１に相当する大きさの矩形形状の底板２０１と、この底板２０１の各４つの辺から前記第１のフレーム１の側壁１０１に沿って立ち上がる形状に、各辺が交差する隅部２０５を除いて形成された側板２０２とを備え、前記側板２０２の前記表示パネル３の観察側に開放した開放端２０３には、前記側板２０２を、その側板２０２の高さよりも僅かに短い長さに延長させた延長端を前記１のフレーム側の方向である内側へ略１８０゜の角度で折り返して形成された折り返し部２０４が形成されている。
【００３５】
前記折り返し部２０４の、前記配線フィルム３０９が引き出される部分には、前記第１のフレーム１の切欠部１０９に対応させた切欠部２０７が設けられている。この折り返し部２０４は、前記側壁２０２の少なくとも１つの辺に形成すればよく、この例では４つの辺それぞれに、前記側壁の隅部２０５を除いて形成されている。
【００３６】
前記第２のフレーム２は、底板２０１と、側板２０２、折り返し部２０４等が、金属板の板金加工により形成されており、側板２０２に折り返し部２０４が形成されているため、フレーム強度が高くなっている。
【００３７】
そして、この折り返し部２０４の、前記第１のフレーム１に設けられた突起１０２に対応する部分は、その先端が前記第１のフレーム１に形成された突起１０２の当接面１０４の高さと実質的に一致する高さに形成された係止部２０６が形成されている。したがって、前記折り返し部２０４は、係止部２０６が形成された部分の折り返し長さが短く、係止部２０６が形成された部分以外の部分の折り返し長さが長く形成されている。
【００３８】
この係止部２０６は、前記第１のフレーム１の突起１０２の当接面１０４に当接して、前記第１のフレーム１を係止する。
【００３９】
この実施形態では、先ず、第１のフレーム１の内側の枠部１０６の枠面１０７に両面粘着テープにて表示パネル３を粘着固定し、前記第１のフレーム１の前記枠部１０６の内側に面光源を収納する。
【００４０】
次に、表示パネル３と面光源４を収納した第１のフレーム１を、第２のフレーム２に挿入する。第１のフレーム１の、第２のフレーム２への挿入に伴い、第１のフレーム１の突部１０２が第２のフレーム２の開放端２０３に当接する。その後、前記開放端２０３は、第１のフレーム１の傾斜面１０５に接触し、この傾斜面１０５が第２のフレーム２の側板２０２を次第に押し広げながら第２のフレーム２に第１のフレーム１が進入し、進入が完了したとき、第２のフレーム２の係止部２０６が、第１のフレーム１の突起１０２の当接面１０４に当接して係止し、図２で示すように、第２のフレーム２の中に第１のフレーム１が収納され、実質的に固定される。
【００４１】
なお、上述した実施例では、前記第１のフレーム１に設けられた突起１０２と、これに対応する第２のフレームの係止部２０６とを矩形の各辺ごとに２つずつ配置した実施形態を示したが、これに限ることなく、少なくとも１つ設けたものであっても良く、前記矩形の辺のうち、少なくとも対向する一対の辺にそれぞれ少なくとも１つ設けるようにしても良く、あるいは各辺に１つずつ設けるようにしても良い。
【００４２】
上述したように、この発明の表示装置は、少なくとも表示パネル３を取り囲んで形成された側壁１０１と、この側壁１０１の外側に設けられた少なくとも１つの突起１０２とを有し、前記側壁１０１の内側に前記表示パネル３を保持する第１のフレーム１と、前記第１のフレーム１に対応する底板２０１と、前記底板２０１から前記第１のフレーム１の側壁１０１に沿って立ち上がった形状に前記第１のフレーム１を取り囲んで形成された側板２０２と、前記側板２０２の開放端の少なくとも１つの辺に、前記側板２０２を延長させた延長端を前記側板の内側へ折り返して形成され、先端に前記第１のフレーム１の突起１０２に当接する係止部２０６が設けられた折り返し部２０４とを有し、前記第１のフレーム１を収納する第２のフレーム２とを備えており、前記第２のフレーム２の側板２０２に折り返し部２０４を形成したので、フレーム強度が高くなる。また、第１のフレーム１に突起１０２を設け、第２のフレーム１の折り返し部２０４に係止部２０６をそれぞれ設けて、前記第１のフレーム１を第２のフレーム２に固定するようにしたので、単純な構造で、２つのフレームを確実に固定することができ、且つフレーム強度が高くなる。
【００４３】
また、この発明の表示装置においては、第１のフレーム１には、前記突起１０２が前記側壁１０１の外周に沿って複数形成され、第２のフレーム２には、前記係止部２０６が複数形成され、前記複数の突起１０２のそれぞれが前記複数の係止部２０６のうち１つに当接していることが好ましく、このように第１のフレーム１に複数の突起１０２と、第２のフレーム２の折り返し部２０４に対応する複数の係止部２０６をそれぞれ設けて、前記第１のフレーム１を第２のフレーム２に固定するようにしたので、２つのフレームをより強固に固定することができる。
【００４４】
さらに、この発明の表示装置において、前記第２のフレーム２の折り返し部２０４のうち、前記係止部２０６が設けられた部分以外の部分の折り返し長さを、前記係止部２０６が設けられた部分の折り返し長さより長く形成することにより、第２のフレーム２の折り返し部２０４のうち、側壁１０１の強度を高くすることができ、十分なフレーム強度が得られる。
【００４５】
またさらに、この発明の表示装置において、前記第１のフレーム１は、前記側壁１０１及び前記突起１０２とを一体的に形成した合成樹脂からなり、前記第２のフレーム２は、板金加工により形成された金属板により形成しているため、第１のフレーム１と第２のフレーム２の加工が容易になる。
【００４６】
そして、この発明の表示装置において、前記第１のフレーム１の突起１０２の前記第２のフレーム２の底板２０１側に、前記第１のフレーム１を前記第２のフレーム２に収納する際に、前記第２のフレーム１の側板２０２の開放端２０３が接触する傾斜面１０５が形成されているので、前記第１のフレーム１の第２のフレーム２への挿入、及び組みつけが容易になる。
【００４７】
そしてさらに、この発明の表示装置において、表示パネル３を液晶表示素子３０１とし、この液晶表示素子３０１のうち、前記液晶表示素子に対して前記底板が配置された側の裏面に、前記第１のフレーム１の枠部１０６に収納して配置され、前記液晶表示素子３０１に照明光を照射するための面光源４をさらに備えることにより、構造が単純で、組み付けを容易にし、且つ剛性の高い液晶表示装置を得ることができる。
【００４８】
また、この発明の表示装置において、前記第１のフレーム１は、その対向する側壁１０１間の距離が、第２のフレーム２の前記第１のフレーム１の対向する側壁１０１に対応する側板２０２間の距離よりも、予め定めた値だけ短い長さに形成されているので、前記第１のフレーム１と第２のフレーム２互いの寸法の違いが、それぞれの寸法の誤差を吸収し、組み付けが容易になる。
【００４９】
（第２の実施形態）
図４は、この発明の第２の実施形態を示す表示装置の分解斜視図である。この実施形態は、上述した第１の実施形態の表示装置に対して、第２のフレーム２の構造が異なるものであって、他の構成は第１の実施形態と同じである。よって、この実施形態において、上述した第１の実施形態と同一構成には同一の符号を付し、説明を省略する。
【００５０】
この実施形態における表示装置の第２のフレーム２は、第１のフレーム１に相当する大きさの矩形形状の底板２０１と、この底板２０１の各４つの辺から前記第１のフレームの側壁１０１に沿って立ち上がる形状に、各辺が交差する隅部２０５を除いて形成された側板２０２と、前記表示パネル３の観察側に開放した開放端２０３に設けられた折り返し部２１４を備えている。この折り返し部２１４の折り返し長さは、各辺とも、その全体にわたって等しく形成され、その長さは、先端の係止部２１６が前記第１のフレーム１に形成された突起１０２の当接面１０４の高さと実質的に一致する高さに形成されている。
【００５１】
この実施形態では、表示パネル３と面光源４を収納した第１のフレーム１を、第２のフレーム２に挿入することにより、全体にわたって等しい折り返し長さとなるように形成された第２のフレーム２の折り返し部２１４のうち、その先端の係止部２１６が、第１のフレーム１の突起１０２の当接面１０４を係止し、第２のフレーム２の中に第１のフレーム１が実質的に固定される。
【００５２】
この実施形態のように、前記第１のフレーム１は、前記側壁１０１が矩形の表示パネル３を取り囲むように平面形状が実質的な矩形に形成され、前記突起１０２が前記矩形の側壁１０１の少なくとも１つの辺に少なくとも１つ配置され、前記第２のフレーム２には、前記側板２０２が前記第１のフレーム１に対応するように平面形状が矩形に形成され、前記第２のフレーム２の折り返し部２１４は、前記第２のフレーム２の矩形の側板２０２のうち前記第１のフレーム１の前記矩形の側壁１０１の前記少なくとも１つの辺に面した少なくとも１つの辺に、前記矩形の隅部２０５を除いて形成したので、この第２のフレーム２の構造が単純で加工が容易になる。
また、前記第２のフレーム２の折り返し部２１４は、前記第２のフレーム２の矩形の側板２０２の前記少なくとも１つの辺に、前記矩形の隅部２０５を除いて形成された部分の折り返し長さが、その全体にわたって等しく形成されているので、前記第２のフレーム２の折り返し部２１４の折り返し長さが等しいから、この第２のフレーム２の構造がより単純で加工が容易になる。
【００５３】
（第３の実施形態）
図５は、この発明の第３の実施形態を示す表示装置の分解斜視図である。この実施形態は、前述した第２の実施形態の表示装置に対して、第１のフレーム１の構造が異なるものであって、他の構成は第２の実施形態と同じである。よって、この実施形態において、上述した第２の実施形態と同一構成には同一の符号を付し、説明を省略する。
【００５４】
この実施形態における表示装置の第１のフレーム１は、矩形の表示パネル３の周囲を取り囲んで形成された平面形状が実質的に矩形の側壁１０１と、この側壁１０１の隅部１０８を除いた外周の、各辺ごとにその全長にわたって１つに連なる長尺突起１１２が形成されている。また、前記長尺突起１１２は、前記表示パネル３の配線フィルム３０９が引き出される部分を除いて形成されている。
【００５５】
そして、前記長尺突起１１２は、前記側壁１０１から突出した突出面１１３と、この突出面１１３の前記表示パネル３の観察側と前記側壁１０１との間に、前記表示パネル３の観察側に向けて形成した当接面１１４と、突出面１１３の前記表示パネル３の裏側の方向に向けて、前記側壁１０１突出面１１３とを緩やかな傾斜角度で結ぶ傾斜面１１５とからなっている。
【００５６】
この実施形態では、表示パネル３と面光源４を収納した第１のフレーム１を、第２のフレーム２に挿入することにより、全体にわたって等しい折り返し長さとなるように形成された第２のフレーム２の折り返し部２１４のうち、その先端の係止部２１６が、第１のフレーム１の長尺突起１１２の当接面１１４をその全長にわたって係止し、第２のフレーム２の中に第１のフレーム１が実質的に固定される。
【００５７】
この実施形態のように、第１のフレーム１は、矩形の表示パネル３を取り囲む矩形に形成され、平面形状が実質的に矩形の側壁１０１と、この矩形の側壁１０１の少なくとも１つの辺の、前記矩形の角部１０８を除いた部分に、前記矩形の側壁の少なくとも１つの辺に沿って連続的に形成された長尺突起１１２を有し、前記第２のフレーム２には、前記第１のフレーム１に対応する矩形の隅部２０５を除いた部分に、折り返し長さがその全体にわたって等しく折り返し部２１４を形成され、前記第２のフレーム２の折り返し部２１４のほぼ全長にわたって、前記長尺突起１１２が係止部されるので、前記第１のフレーム１と前記第２のフレーム２の構造が単純にして、互いに強固な固定が可能になる。
【００５８】
（第４の実施形態）
図６は、この発明の第４の実施形態を示す表示装置の部分断面図である。この実施形態は、上述した第１の実施形態の表示装置に対して、第１のフレーム１の側壁１０１に形成される突起１２２の位置と、第２のフレーム２に設けられる係止部２２６の位置が異なるものであり、他の構成は第１の実施形態と同じである。よって、この実施形態において、上述した第１の実施形態と同一構成には同一の符号を付し、説明を省略する。
【００５９】
この実施形態における第１のフレーム１は、その側壁１０１の外側に形成される複数の突起１２２が、第１のフレーム１の観察側とは反対側の底板２０１からの、前記側壁１０１から内側に延びた枠部１０６の表示パネル３が粘着固定される枠面１０７の位置に対応する高さの間に形成されている。
【００６０】
すなわち、第１のフレーム１の突起１２２の当接面１２４が、前記第１のフレーム１の底板２０１と、枠部１０６の枠面１０７に対応する位置との間に対応する高さで、前記側壁１０１の外側に形成されている。
【００６１】
そして、第２のフレーム２の折り返し部に形成される係止部２２６は、前記第１のフレーム１の前記突起１２２の当接面１２４の高さに一致するように形成されている。
【００６２】
この実施形態では、表示パネル３と面光源４を収納した第１のフレーム１を、第２のフレーム２に挿入し、第１のフレーム１の突起１２２の当接面１２４が第２のフレーム２の折り返し部２２４に形成される係止部２２６により係止される。
【００６３】
前記第１のフレーム１は、液晶パネル３のうち、液晶パネル３に対して底板２０１が配置された側の底部と表示パネル３を固定するための枠面１０７との間に、前記側壁１０１から内側に延びる枠部１０６を備え、前記第１のフレーム１の突起１２２は、前記第１のフレーム１の前記底部からの前記枠部１０６の枠面１０７に対応する高さの間に設けられているから、第１のフレーム１の突起１２２が側壁１０１の枠部１０６に対応する位置にあるため、側壁１０１が前記枠部１０６により補強され、前記突起１２２が形成された側壁１０１が変形し難くなり、前記第１のフレーム１と前記第２のフレーム２の固定が強固になる。
【００６４】
（第５の実施形態）
図７は、この発明の第５の実施形態を示す表示装置の部分断面図である。この実施形態は、上述した第１の実施形態の表示装置に対して、第２のフレーム２の側板２０２に形成される折り返し部２３４の形状が異なるものであり、他の構成は第１の実施形態と同じである。よって、この実施形態において、上述した第１の実施形態と同一構成には同一の符号を付し、説明を省略する。
【００６５】
この実施形態における第２のフレーム２は、その第２のフレーム２の観察側に開放した開放端２０３に、前記側板２０２を、その側板の高さよりも短い長さに延長させた延長端を前記側板２０２の内側へ９０゜を超え１８０゜未満の角度で折り返して形成された折り返し部２３４が形成され、その先端に、前記第１のフレーム１に形成された突起１０２の当接面１０４に当接する係止部２３６が形成されている。
【００６６】
すなわち、第２のフレーム２の折り返し部２３４が、側板２０２が配置された外側に弾性変形可能な構造となっている。
【００６７】
そして、第２のフレーム２の折り返し部２３４に形成される係止部２３６は、前記第１のフレーム１の前記突起１０２の当接面１０４の高さと実質的に一致するように形成されている。
【００６８】
この実施形態では、表示パネル３と面光源４を収納した第１のフレーム１を、第２のフレーム２に挿入する際、第２のフレーム２の折り返し部２３４の係止部２３６が弾性変形して、第１のフレーム１の突起１０２を乗り越えて第１のフレーム１の当接面１０４と当接し、係止することにより前記第１のフレーム１と前記第２のフレーム２とが組みつけられる。
【００６９】
このように、第２のフレーム２の折り返し部は、その側板２０２の延長端を前記側板２０２の内側に斜めに折り返して形成され、前記第１のフレーム１を内側に弾性的に押圧し、且つ前記第１のフレーム１の突起１０２と当接する係止部２３６を有する折り返し部２３４が形成されているので、前記第１のフレーム１と前記第２のフレーム２との組み付けが容易になり、また組み付け後の前記第１のフレーム１と前記第２のフレーム２の固定も強固になる。
【００７０】
尚、上述した実施形態では、表示パネル３を液晶表示素子３とし、その裏側に面光源を配置した表示装置を例として示したが、本発明はこれに限ることなく表示パネルとしてエレクトロルミネッセントパネル等の自発光型の表示素子、あるいは、Ｅ−インク等の反射型の表示素子を用いることができる。
【００７１】
なお、本発明は、上述した実施形態に限定されるものではない。
例えば、前記突起を、前記矩形の辺のうち、少なくとも１辺に少なくとも１つ設けるようにした場合においても、前記折り返し部を、係止部が形成された部分の折り返し長さを短く、係止部が形成された部分以外の部分の折り返し長さを長く形成しても良い。また、上述した第１乃至第４の各実施形態において、第２のフレーム２の折り返し部を、その側板の延長端を第２のフレーム２が配置された内側に斜めに折り返して形成しても良い。
【符号の説明】
【００７２】
１…第１のフレーム、
１０１…側壁、
１０２,１２２…突起、
１１２…長尺突起、
１０３,１１３…突出面、
１０４,１１４,１２４…当接面、
１０５,１１５…傾斜面、
１０６…枠部、
１０７…枠面、
１０８…角部、
１０９…切欠部
２…第２のフレーム、
２０１…底板、
２０２…側板、
２０３…開放端、
２０４,２１４,２２４,２３４…折り返し部、
２０５…隅部、
２０６,２１６,２２６,２３６…係止部、
２０７…切欠部
３…表示パネル、
３０１…液晶表示素子、
３０２，３０３…透明基板、
３０４…液晶層、
３０５…シール材、
３０６，３０７…偏光板、
３０８…駆動回路、
３０９…配線フィルム、
４…面光源、
４０１…導光板、
４０２…反射手段、
４０３…光学フィルム層、
５…両面粘着テープ。
【図１】
2010256702.tif 000003
【図２】
2010256702.tif 000004
【図３】
2010256702.tif 000005
【図４】
2010256702.tif 000006
【図５】
2010256702.tif 000007
【図６】
2010256702.tif 000008
【図７】
2010256702.tif 000009